(57)【要約】【課題】電線被覆に容易に切れ込みを入れることができるようにする。【解決手段】電線被覆除去用補助具１は、電線２を受ける受け部４と、電線２の被覆を除去するために用いられるナイフ３の刃部３ａの位置を規制する規制部５とを備え、受け部４と刃部３ａとで電線を挟んだ状態で、電線２の周方向まわりに回転できるように構成される。【選択図】図１
2010226876.tif 000002
【特許請求の範囲】
【請求項１】
電線を受ける受け部と、電線の被覆を除去するために用いられるナイフの刃部の位置を規制する規制部とを備え、受け部と刃部とで電線を挟んだ状態で、電線の周方向まわりに回転できるように構成されてなることを特徴とする電線被覆除去用補助具。
【請求項２】
前記規制部は、ナイフの刃部の厚さ方向の移動を規制するように構成されてなる請求項１に記載の電線被覆除去用補助具。
【請求項３】
前記規制部は、電線の太さに応じてナイフの刃部の規制位置を変更可能に構成されてなる請求項１または２に記載の電線被覆除去用補助具。
【請求項４】
前記ナイフの柄部とともに把持可能な柄部を有する請求項１から３のいずれか１項に記載の電線被覆除去用補助具。
【請求項５】
前記受け部には、電線の周方向に回転させたときに、電線に接触して回転可能なローラ部が設けられる請求項１から４のいずれか１項に記載の電線被覆除去用補助具。
【発明の詳細な説明】
【技術分野】
【０００１】
本発明は、例えば、市販の電工用ナイフを用いて電線被覆を除去する場合に、これを補助する電線被覆除去用補助具に関する。
【背景技術】
【０００２】
例えば、電線の接続工事等を行う場合には、電線の被覆を除去して芯線を露出させる必要がある。電線の被覆を除去するには、例えば、電線の長手方向で所定間隔離れた２箇所に、電工ナイフによって、電線の周方向に沿う切れ込みを被覆に入れるとともに、この２箇所の切れ込み同士が繋がるような電線の長手方向に沿う切れ込みを被覆に入れる。そして、この長手方向に沿う切れ込みが入った箇所から被覆をはぎ取り、芯線を露出させる。
【０００３】
従来、電線の周方向に沿う切れ込みを電線の被覆に入れるには、作業者が一方の手で電線を把持した状態で、他方の手に電工ナイフを持ち、電線の表側（手前側）からその刃部を電線の被覆に当て、約半周分の切れ込み（以下「第１の切れ込み」という）を入れる。そして、電線の裏側から残りの半周分の切れ込み（以下「第２の切れ込み」という）を入れるようにする。
【発明の概要】
【発明が解決しようとする課題】
【０００４】
電線の被覆を綺麗に除去するには、この第１の切れ込みと、第２の切れ込みとが繋がるように電工ナイフを操作しなければならない。
【０００５】
しかしながら、このナイフの操作には熟練を要し、しかも、第１の切れ込みと第２の切れ込みとが繋がる部分は、作業者から見えない場合もあり、この作業を行うことが手間であった。
【０００６】
本発明は上記の事情に鑑みてなされたものであり、電線の被覆に容易に切れ込みを入れることができる電線被覆除去用補助具を提供することを課題とする。
【課題を解決するための手段】
【０００７】
本発明に係る電線被覆除去用補助具は、上記の課題を解決するためのものであって、電線を受ける受け部と、電線の被覆を除去するために用いられるナイフの刃部の位置を規制する規制部とを備え、受け部と刃部とで電線を挟んだ状態で、電線の周方向まわりに回転できるように構成されてなることを特徴とする。
【０００８】
かかる構成によれば、規制部によってナイフの刃部の位置を規制するとともに、このナイフの刃部と受け部との間に電線を挟んだ状態とすることで、ナイフの刃部が電線の被覆に当接した状態を維持しながら、ナイフの位置がずれることなく電線の周方向周りに回転させることができる。これによって、被覆に容易に切れ込みを入れることができる。
【０００９】
また、本発明に係る電線被覆除去用補助具は、前記規制部が、ナイフの刃部の厚さ方向の移動を規制するように構成されてもよい。
【００１０】
かかる構成によれば、ナイフの厚さ方向への位置ずれを防止でき、電線の周方向に沿う切れ込みを電線被覆に確実に入れることができる。
【００１１】
また、本発明に係る電線被覆除去用補助具は、前記規制部が、電線の径に応じてナイフの刃部の規制位置を変更可能に構成されてもよい。
【００１２】
かかる構成によれば、電線の太さに応じて適切な切れ込みを入れることができる。
【００１３】
また、本発明に係る電線被覆除去用補助具は、前記ナイフの柄部とともに把持可能な柄部を有する構成を採用できる。
【００１４】
かかる構成によれば、ナイフの柄部と電線被覆除去用補助具の柄部とを把持することにより、ナイフと電線被覆除去用補助具とを容易に操作できるようになる。
【００１５】
また、本発明に係る電線被覆除去用補助具は、前記受け部には、電線の周方向に回転させたときに、電線に接触して回転可能なローラ部が設けられるようにしてもよい。
【００１６】
かかる構成によれば、ナイフと電線被覆除去用補助具とを回転させるときに、受け部と電線被覆との間の摩擦力を極力小さくすることができ、これにより電線被覆に容易に切れ込みを入れることができる。
【発明の効果】
【００１７】
本発明によれば、電線の被覆に容易に切れ込みを入れることができる。
【図面の簡単な説明】
【００１８】
【図１】本発明に係る電線被覆除去用補助具の使用状況を示す側面図である。
【図２】電線被覆除去用補助具の補助具本体を示す側面図である。
【図３】電線被覆除去用補助具の平面図である。
【発明を実施するための形態】
【００１９】
以下、本発明を実施するための形態を、図面に基づき説明する。
【００２０】
図１〜図３は、本発明に係る電線被覆除去用補助具（以下、単に「補助具」という）の一実施形態を示す。この補助具１は、電線２の被覆を電工ナイフ（以下、単に「ナイフ」という）３を用いて除去する場合に、このナイフ３の動作を補助するためのものである。なお、ナイフ３は、刃部３ａと、刃部３ａの基部に固定される柄部３ｂとを有する。
【００２１】
図１に示すように、補助具１は、電線２を受ける受け部４と、ナイフ３の刃部３ａの位置を規制する規制部５と、柄部６とを有する補助具本体１ａを備える。
【００２２】
補助具本体１ａは、側面視においてほぼ同形状の２枚の板部材（以下、一方の板部材を「第１板部材」７といい、他方の板部材を「第２板部材」８という）を所定間隔離間させて連結することによって構成されている。具体的には、第１板部材７と第２板部材８との間には、これらを離間するための複数（図例では３つ）のスペーサ９が設けられている。第１板部材７及び第２板部材８は、その間にスペーサ９を介して互いに連結されることで、所定間隔離間されている。
【００２３】
受け部４は、補助具本体１ａの中途部に形成された凹部である。この受け部４は、電線２の形状に合うように、その底部４ａが側面視円弧状に形成される。また、この受け部４は、底部４ａに連続状に繋がって形成される２つの直線部４ｂ，４ｃを有する。
【００２４】
受け部４の底部４ａには、電線２に接触可能な複数（図例では２つ）のローラ部１０，１０が設けられている。各ローラ部１０，１０は、円柱状に構成されるとともに、第１板部材７と第２板部材８とに架け渡された枢支軸１０ａに回転可能に支持されている。各ローラ部１０，１０の一部は、側面視において、凹状とされた受け部４の縁から突出している。これにより、受け部４に入れられた電線２は、受け部４の４ａに接触せず、このローラ部１０，１０に接触する。
【００２５】
第１板部材７の表面であって、受け部４の近傍位置には、電線２の太さ（断面積）に応じてナイフ３の刃部３ａの規制位置を決めるための目盛り１１が設けられている。図１、図２に示すように、補助具本体１ａには、電線２の太さ（断面積）が、２００ｍｍ2、５８ｍｍ2、２５ｍｍ2の場合に対応する目盛り１１が設けられている。この目盛り１１は、ナイフの刃部３ａの位置合わせの基準となる基準線１１ａ，１１ａ…と、各基準線１１ａ，１１ａ…に応じた電線２の太さを示す文字部１１ｂ，１１ｂ…とを有する。目盛り１１は、基準線１１ａの一端部が受け部４の一方の直線部４ｂに達するように形成されている。
【００２６】
規制部５は、補助具本体１ａの一端部に形成された第１規制部２１と、補助具本体１ａの中途部に形成された第２規制部２２とを有する。上記したように、２枚の板部材７，８を所定間隔離間させて連結した補助具本体１ａの構造により、第１規制部２１及び第２規制部２２は、２枚の板部２１ａ，２１ｂ、２２ａ，２２ｂによって構成される。第１規制部２１及び第２規制部２２は、２枚の板部２１ａ，２１ｂ，２２ａ，２２ｂの間にナイフ３の刃部３ａを挟むことができるようになっている。
【００２７】
第１規制部２１は、補助具本体１ａの幅方向（補助具本体１ａの長手方向に直交する方向）の一方側に突出する突起部となっている。この第１規制部２１は、ナイフ３の刃部３ａの背３ｃの部分に接触してこの刃部３ａを規制する規制部材２３が設けられている。
【００２８】
また、第１規制部２１の各板部２１ａ，２１ｂには、この規制部材２３が係合する長孔２４が板厚方向に貫通して形成されている。この長孔２４は、補助具本体１ａの幅方向に長く形成されている。
【００２９】
第１規制部２１は、補助具本体１ａの長手方向において、受け部４と隣り合うように形成される。この第１規制部２１は、受け部４側の部分（縁部）が、受け部４の直線部４ｂおよび底部４ａの一部と一体に構成されている。
【００３０】
本実施形態において、規制部材２３は、蝶ボルト３１と、この蝶ボルト３１の軸部３２の雄ねじ部に螺合するナット部材３３とを有する。規制部材２３は、蝶ボルト３１の軸部３２を長孔２４に挿通するとともに、その端部からナット部材３３を嵌めることで、第１規制部２１に取り付けられている。
【００３１】
規制部材２３は、蝶ボルト３１とナット部材３３を締め付けることによって、蝶ボルト３１の軸部３２を長孔２４の長手方向における所定位置に固定できるようになっている。この規制部材２３の軸部３２には、ナイフ３の刃部３ａの背３ｃが当接するようになっている。規制部材２３の軸部３２は、ナイフ３の刃部３ａの背３ｃが当接することで、このナイフ３の位置を規制する。
【００３２】
第２規制部２２は、補助具本体１ａの長手方向において、第１規制部２１から離間されて形成されている。この第２規制部２２と第１規制部２１との間には、前記受け部４が設けられている。第２規制部２２は、受け部４側の部分（縁部）が、受け部４の直線部４ｃおよび底部４ａの一部と一体に構成されている。
【００３３】
また、第２規制部２２は、第１規制部２１と同じ方向（幅方向）に突出する突起部となっている。この第２規制部２２は、２つの板部２２ａ、２２ｂの間にナイフ３の刃部３ａを入れることができるようになっている。ナイフ３の刃部３ａは、この第２規制部２２の２つの板部２２ａ，２２ｂの間に入れられることで、その厚さ方向の位置が規制されるようになっている。
【００３４】
補助具本体１ａの柄部６は、ナイフ３の柄部３ｂとともに把持されるように、長尺状に構成される。柄部６の長さは、ナイフ３の柄部３ｂの長さと同程度とされることが望ましい。また、この柄部６は、絶縁部材によって被覆されている。
【００３５】
補助具本体１ａの先端部側には、ナイフ３の刃部３ａの先端が第１規制部２１内から突き出ないようにするためのストッパ部材３５が設けられている。このストッパ部材３５は、第１規制部２１の内側（２つの板部２１ａ，２１ｂの間）に設けられている２つのスペーサ９に取り付けられている。
【００３６】
具体的には、第１規制部２１の内側には、第１規制部２１の幅方向に間隔をおいて２つのスペーサ９が設けられており、ストッパ部材３５は、その各端部がそれぞれのスペーサ９に固定されている。ストッパ部材３５は、金属製の板部材または線材で構成される。このストッパ部材３５は、各端部が、各スペーサ９に巻き付けられることで、第１規制部２１の内側に固定されている。
【００３７】
以下、ナイフ３と補助具１とを用いて電線２の被覆を除去する方法について説明する。
【００３８】
まず、電線２を補助具本体１ａの受け部４に入れる。そして、ナイフ３の刃部３ａの先端を受け部４の直線部４ｂの側から第１規制部２１の内側に入れるとともに、ナイフ３の刃部３ａの中途部を第２規制部２２の内側（２つの板部２２ａ，２２ｂの間）に入れる。さらに、この状態で、刃部３ａの刃３ｄを受け部４に入った電線２の外面に当てる。
【００３９】
このとき、規制部材２３の蝶ボルト３１とナット部材３３による締め付けを緩めて、第１規制部２１の規制部材２３の固定を解除し、規制部材２３を長孔２４の長手方向に移動可能な状態のままにしておく。
【００４０】
そして、刃部３ａの刃３ｄが電線２の外面に当接した状態で、電線２の太さに応じて規制部材２３によるナイフ３の位置規制を行うべく、この刃３ｄを対応する電線２の太さを示す目盛り１１に一致させる。このとき、規制部材２３の蝶ボルト３１の軸部３２は、ナイフ３の刃部３ａの背３ｃに当接した状態となる。この状態で、前記規制部材２３の蝶ボルト３１とナット部材３３とを締め付け、蝶ボルト３１の軸部３２を固定する。
【００４１】
これによって、規制部材２３は、蝶ボルト３１の軸部３２がナイフ３の刃部３ａに当接することで、電線２の太さに応じた適正位置で、ナイフ３の刃部３ａの位置を規制できる。さらに、ナイフ３の刃部３ａの先端部が第１規制部２１の内側に入り、刃部３ａの中途部が第２規制部２２の内側に入った状態では、ナイフ３は、刃部３ａがその厚さ方向に大きく移動しないように、その位置が規制される。
【００４２】
このように補助具本体１ａがナイフ３の刃部３ａを規制する状態のままで、補助具本体１ａの柄部６と、ナイフ３の柄部３ｂとを片手で把持し、電線２の周方向に回転させる。このとき、補助具本体１ａの柄部６とナイフ３の柄部３ｂとを握る力を加減することで、電線２の被覆のみを切断する力を電線２に加えることができる。
【００４３】
このように、補助具本体１ａの受け部４と、ナイフ３の刃部３ａとによって電線２を挟むとともに、第１規制部２１及び第２規制部２２によってナイフ３の刃部３ａの位置を規制する状態で、かつ、ナイフ３の柄部３ｂと補助具本体１ａの柄部６とを把持したままで、このナイフ３を補助具本体１ａとともに電線２の周方向に回転させる。
【００４４】
そして、ナイフ３を電線２の周方向に一周させると、電線２には、その周方向に沿う切れ込みが形成される。次に、この切れ込みから所定間隔離れた位置で、もう一度同じように、周方向の切れ込みを電線２の被覆に入れる。
【００４５】
その後、補助具本体１ａ及びナイフ３を電線２から取り外し、電線２の２箇所に入れた周方向の切れ込み同士が繋がるように、電線２の長手方向に沿ってナイフ３で被覆に切れ込みを入れる。この長手方向の切れ込みから被覆を剥がすことで、電線２の被覆の除去が完了する。
【００４６】
なお、上記の除去方法は、電線２の中途部の電線２の被覆を除去する際の手順であるが、電線２の端部の被覆を除去する場合には、電線２の端部から所定間隔離れた位置で、上記と同じように電線２の被覆に周方向の切れ込みを入れた後、電線２の端部からこの周方向の切れ込みまでの部位の電線２の被覆を電線２の端部から抜き取るようにして除去してもよい。
【００４７】
以上説明した補助具１によれば、規制部５によってナイフ３の刃部３ａの位置を規制するとともに、このナイフ３の刃部３ａと受け部４との間に電線２を挟んだ状態とすることで、ナイフ３の刃部３ａが電線２の被覆に当接した状態を維持しながら、ナイフ３の位置がずれることなく電線２の周方向周りに回転させることができる。これによって、電線２の被覆に容易に切れ込みを入れることができる。
【００４８】
特に、第１規制部２１、および第２規制部２２が、ナイフ３の刃部３ａの厚さ方向の移動を規制するように構成されていることから、ナイフ３の厚さ方向への位置ずれを防止でき、電線２の周方向に沿う切れ込みを電線２の被覆に確実に入れることができる。
【００４９】
また、ナイフ３の刃３ｄが電線２の外面に当接した状態で、ナイフ３の柄部３ｂと、補助具本体１ａの柄部６とを握ると、ナイフ３の刃部３ａには、電線の周方向まわりのモーメントが作用する。この場合であっても、前記規制部材２３が刃部３ａの背３ｃに当接してその位置を規制するので、刃部３ａは、上記モーメントが作用したとしても、これによる回転をすることなく、適正位置で、被覆に切れ込みを入れることができる。
【００５０】
また、前記規制部５は、第１規制部２１と目盛り１１とによって、電線２の径に応じてナイフ３の刃部３ａの規制位置を変更可能に構成されていることから、電線２の径に応じて適切な切れ込みを入れることができる。
【００５１】
また、本発明に係る補助具１は、前記ナイフ３の柄部３ｂとともに把持可能な柄部６を有することから、ナイフ３の柄部３ｂと補助具１の柄部６とを把持することにより、ナイフ３と補助具１とを容易に操作できるようになる。
【００５２】
また、本発明に係る補助具１は、前記受け部４には、電線２の周方向に回転させたときに、電線２に接触して回転可能なローラ部１０が設けられていることから、ナイフ３と補助具１とを回転させるときに、受け部４と電線２の被覆との間の摩擦力を極力小さくすることができ、これにより電線２の被覆に容易に切れ込みを入れることができる。
【００５３】
また、第１規制部２１は、規制部材２３の軸が刃部３ａの背３ｃに当接して規制するので、刃部３ａの刃３ｄを傷つけることがなく、ナイフ３の長期の使用を維持しながらも、確実な電線２の被覆の除去を実現できる。
【００５４】
なお、本発明は、上記の実施形態に限らず、種々の変形・変更が可能である。
【００５５】
例えば、上記の実施形態では、補助具本体１ａに形成された目盛り１１は、２００ｍｍ2、５８ｍｍ2、２５ｍｍ2の場合に対応するようになっていたが、これに限定されず、これ以外の太さの電線２に対応する目盛り１１を設けるようにしてもよい。
【００５６】
また、上記の実施形態では、規制部材２３として蝶ボルト３１とナット部材３３の組み合わせを例示したが、蝶ボルト３１以外のボルト部材を使用してもよい。また、ボルト、ナットの組み合わせ以外で、軸部３２を長孔２４に挿通した状態で固定できる他の手段を用いることも可能である。
【００５７】
また、上記の実施形態では、受け部４に２つのローラ部１０が設けられた例を示したが、ローラ部１０の数は、１又は３以上であってもよい。
【符号の説明】
【００５８】
１…電線被覆除去用補助具、１ａ…補助具本体、２…電線、３…ナイフ、３ａ…ナイフの刃部、３ｂ…ナイフの柄部、３ｃ…刃部の背、３ｄ…刃部の刃、４…受け部、４ａ…受け部の底部、４ｂ…受け部の直線部、４ｃ…受け部の直線部、５…規制部、６…柄部、７…第１板部材、８…第２板部材、９…スペーサ、１０…ローラ部、１０ａ…枢支軸、１１…目盛り、１１ａ…基準線、１１ｂ…文字部、２１…第１規制部、２１ａ…板部、２１ｂ…板部、２２…第２規制部、２２ａ…板部、２２ｂ…板部、２３…規制部材、２４…長孔、３１…蝶ボルト、３２…軸部、３３…ナット部材、３５…ストッパ部材
【図１】
2010226876.tif 000003
【図２】
2010226876.tif 000004
【図３】
2010226876.tif 000005